(57)【要約】      （修正有）【課題】製作が簡単で効果的に製造コストを削減でき、信頼性の高い回復弾力を備え、且つ、メンテナンスに便利なプリント配線板試験装置に使用する針管分離式探針の提供。【解決手段】座体、接続台、試験台を含み、試験台上に複数の探針が設けられ、探針は針体、針管及び針管内に設置されたバネから構成され、針管底部に該針管内にバネを入れた後その位置を制限する第一掛止部を形成し、バネ上部と下部に集合部分を設け、中段部分を弾性伸縮部分とすると共に、バネの上部を錐台形状に形成し、針管にバネ下部の集合部分に設けた陥没部を掛止して固定する複数の第二掛止部を設け、針体を針管内に入れ、針体底部とバネ上部を相互に接触させ、管体内に導線を溶接し、各探針の針管を接続台上に設置し、その位置を試験を行う回路板上のピン位置に対応させ、探針底部から延伸した導線をソケットに接続し、プリント配線板試験機のコネクタとこのソケットを接続する。【選択図】図１
0003114572.tif 000002
【実用新案登録請求の範囲】
【請求項１】
座体、接続台、試験台から成るプリント配線板試験の接続台と試験台の間に配される複数の探針であって、該探針が針体、針管及び該針管内に配置されたバネから構成され、該針管の底部には、該針管に配設された該バネの下部を固定する第一掛止部を設けるとともに、さらに、該針管に第二掛止部を設けることによりバネ下部を引っ掛けて該バネを該針管内で固定し、該針管上部に差し込んだ針体の底部とバネ上部を相互に接触させ、且つ、該第一掛止部下方の針管内から差し込んだ導線をバネ下部と溶接した設けることを特徴とするプリント配線板試験装置内に配置する探針。
【請求項２】
前記バネの上部と下部にそれぞれ集合部分を設け、中段部分を弾性伸縮部分とし、且つ、該バネの上部を錐台形状に設けた請求項１に記載のプリント配線板試験装置内に配置する探針。
【考案の詳細な説明】
【技術分野】
【０００１】
本考案は、プリント配線板試験装置内に配置する探針に関し、詳細には、プリント配線板試験装置内に設置する探針の構造であり、係採用針管分離式を採用し、製作が簡単で効果的に製造コストを削減できるだけでなく、信頼性の高い回復弾力を備え、且つ、メンテナンス上の利便性も高い、プリント配線板試験装置内に配置する探針に関する。
【背景技術】
【０００２】
現有の技術において、プリント配線板は電子部品の回路設計を完了した後、試験を行うことでその上方に設けた回路に断線・短絡がないかを確認しなければならない。現在採用されている回路試験機は、専用の試験台を回路試験機に接続して構成され、この試験台の上表面には複数の表面に突出した探針が設けられている。この探針は、試験を行う回路板の底面に突出した各ピンの位置に対応して設置され、且つ、探針底部に設置されたバネが下圧試験後の回復弾力を提供し、且つ、各探針はすべて針管内に設置され、さらに導線を接続し回路試験機の対応する挿入孔内に導通させる。回路板の試験時には、試験を行う回路板を試験台の探針上に置いて下圧し、探針と回路板底面のピンを接触させると、回路試験機が回路板上の回路に断線・短絡がないかを表示する。この装置においては、バネが直接探針の底部に設置されるが、探針の寸法が非常に小さいため、製造、生産上の困難となっており、且つ、該針管を専用の試験台に設置する際も設置・取り外しが難しく、このため、コストが上がり、交換にも不便となる等の問題が発生する。
【０００３】
また、市場には複合式回路検査機があるが、これは、検査を行う回路板の各ピンに対応する位置に合わせて複数の探針を接続板内に設置し、この探針は底部に接続部を備えた針体と、末端に導線を接続したバネとを含み、この針体は直接治具内に設置され、バネの上には位置せず、且つ、接続部とバネの上部が相互に接触して導通され、そのうち、バネ上部は一体巻き付け成型の支持底部を備え、針体の接続部を接続することができるため、別途針管と支持部材を加工する必要がなくコスト低減を達成することができる。しかしながら、その試験時において、バネが直接接続板内に設置され、且つ、バネの上部に探針を接続する凹形の支持底部を備えているため、バネが接続板の孔壁と摩擦を生じやすく、探針とバネが引っかかってしまい、回復できない状況に陥り、探針を検査を行う回路板のピンに接触させることができず、試験エラーを引き起こす結果となりやすい。また、検査を行う回路板の体積が小さいため、探針及びバネの体積も合わせて小さくする必要があり、生産・製造上の困難となりやすいため、改良が必要である。
【考案の開示】
【考案が解決しようとする課題】
【０００４】
本考案は、上述の従来構造の欠点に鑑みて、考案者の当該事業における長年の経験に基づき研究を重ね、斬新なプリント配線板試験装置内に配置する探針を提供するものである。
【０００５】
本考案の主な目的は、製作が簡単で効果的に製造コストを削減でき、信頼性の高い回復弾力を備え、且つ、メンテナンスに便利な、プリント配線板試験装置に使用する針管分離式探針を提供することにある。
【０００６】
本考案の別の目的は、バネ及び針体を共に微小に製作することができ、探針の配列間隔を縮小し、小型で精密なプリント配線板の試験に便利な探針を提供することにある。
【課題を解決するための手段】
【０００７】
上述の目的を達するため、本考案のプリント配線板試験装置内に配置する探針は、該プリント配線板試験装置が座体、接続台、試験台を含み、該試験台上に複数の探針が設けられ、この探針は主に針体、針管及び針管内に設置されたバネから構成され、針管底部に第一掛止部を形成し、針管内にバネを入れた後その位置を制限し、バネ上部と下部をそれぞれ集合部分とし、中段部分を弾性伸縮部分とすると共に、バネの上部を錐台形状に形成し、さらに針管外部から内側に向かって複数の第二掛止部を設け、この第二掛止部がバネ下部の集合部分に設けた陥没部を掛止して固定し、さらに、針体を該針管内に入れ、針体底部とバネ上部を相互に接触させ、且つ、第一掛止部下方の管体内に導線を溶接し、各探針の針管を接続台上に設置し、その位置を試験を行う回路板上のピン位置に対応させ、さらに探針底部から延伸した導線をソケットに接続し、プリント配線板試験機のコネクタとこのソケットを接続する。
【考案の効果】
【０００８】
上述の構造により、従来の探針における、バネを直接探針の針体底部に固定する際に針体の体積が小さいことから製造が難しく、さらにバネを固定する必要があるため、製造がより困難になるという問題を徹底的に解決することができる。本考案の探針は、針管分離方式を採用し、且つ、バネを針管内部に設置するため、製造が簡単で製造コストを抑えることができ、且つ、使用時において最も故障が起こりやすいのはバネの部分であるが、その故障時には直接針管を抜取り交換することができ、針体をまとめて交換する必要がなく、交換の手順も簡単である。また、本考案はバネを針管内に設置しているため、使用時にバネが直接接続台と接触し引っかかってしまうという故障が発生せず、探針の針体と試験を行う回路板のピンの良好な接触を確保でき、且つ、信頼性の高い回復弾力を得ることができる。また、バネの上部と下部に巻き付け方式で集合部分を形成し、中段部には弾性伸縮部分を設け、さらにバネの上部と針体の底部を接触させるため、バネ及び針体を共に微小に作成することができ、探針の配列間隔を縮小でき、小型で精密なプリント配線板の試験に便利である。    
【考案を実施するための最良の形態】
【０００９】
本考案の構造、装置及びその特徴について、以下、具体的な実施例と図面に基づき詳細に説明する。
【００１０】
図１、図２、図３に示すように、本考案のプリント配線板試験装置内に配置する探針は、該プリント配線板試験装置１が座体１０、接続台２０、試験台３０を含んで成り、試験台３０上に複数の探針４０が挿入・設置される。この探針４０は主に針体４１、針管４２及び針管４２内に設置されたバネ４３から構成され、針管４２底部に第一掛止部４２aを形成し、バネ４３を入れた後その位置を制限する。バネ４３上部と下部はそれぞれ集合部分４３aとし、中段部分は弾性伸縮部分４３bとし、且つ、バネ４３上部は錐台形状に設け、さらに針管４２外部から内側に向かって複数の第二掛止部４２bを形成し、この第二掛止部４２bによりバネ４３下部の集合部分４３aに設けた陥没部４３a１を引っ掛けて固定する。さらに、針体４１をこの針管４２内に入れ、針体４１底部とバネ４３上部を相互に接触させ、且つ、第一掛止部４２a下方の管内に導線４４を溶接し、各探針４０の針管４２を接続台２０上に設置し、その位置を試験を行う回路板上のピン位置に対応させ、さらに、探針１０底部から延伸された導線４４をソケット４５に接続し、このソケット４５にプリント配線板試験機のコネクタを接続する。
【００１１】
上述のように、本考案のプリント配線板試験装置内に配置する探針は、その探針に針管分離式の設計を採用し、製造が簡単で製造コストを抑えることができるだけでなく、信頼性の高い回復弾力を備え、メンテナンスにも便利である。また、この構造改良によりバネ及び針体を共に微小に製作することができ、探針の配列間隔を縮小できるため、小型で精密なプリント配線板の試験に便利である。本考案は、上述のように実用性と進歩性を兼ね備えているため、特許法の規定に基づき、ここに実用新案登録を出願するものである。
【図面の簡単な説明】
【００１２】
【図１】本考案のプリント配線板試験装置の立体分解図である。
【図２】本考案のプリント配線板試験装置の断面図である。
【図３】本考案の探針の断面図である。
【符号の説明】
【００１３】
１          プリント配線板試験装置
１０        座体
２０        接続台            
３０        試験台
４０        探針                                                       
４１        針体
４２        針管
４２a      第一掛止部
４２b      第二掛止部                                             
４３a      集合部分
４３b      弾性伸縮部分                                          
４３a１    陥没部
４３        バネ
４４        導線
４５        ソケット
【図１】
0003114572.tif 000003
【図２】
0003114572.tif 000004
【図３】
0003114572.tif 000005